(57)【要約】【課題】  携帯に便利で、外観性に魅力があり、商品価値の高いタオルを提供する。【解決手段】  タオル片２を所定形状に折り畳んだ折畳みタオル３が圧縮固化されて印籠形に形成され、裏面にタオル片２の接触部が対向して形成された対向線Ｌが存在するタオル本体４と、タオル本体４を包装した包装フィルム５と、包装フィルム５の表面側または裏面側に設けた家紋等の紋様６と、で構成する。また、折畳みタオル３は、タオル片２を、同一方向へ複数折り畳んで平面長方形状とされた後、その長手方向の両端部がそれぞれ内方に折り畳まれて、その両端部同士が突き合わされた後、その突き合わせ部分を中心としてさらに内方に折り畳まれたものである。【選択図】      図３
0003123350.tif 000002
【実用新案登録請求の範囲】
【請求項１】
タオル片（２）を所定形状に折り畳んだ折畳みタオル（３）が圧縮固化されて印籠形に形成され，裏面側に前記タオル片の接触縁部が対向して形成された対向線（Ｌ）が存在するタオル本体（４）と、前記タオル本体を包装した包装フィルム（５）と、前記包装フィルムの表面側または裏面側に設けた家紋等の紋様（６）と、からなる印籠形固化タオル。
【請求項２】
タオル片（２）を所定形状に折り畳んだ折畳みタオル（３）が圧縮固化されて印籠形に形成され，裏面側の中央部に前記タオル片の両端部が対向して形成された対向線（Ｌ）が存在するタオル本体（４）と、前記タオル本体を包装した包装フィルム（５）と、前記包装フィルムの表面側または裏面側に設けた家紋等の紋様（６）と、からなる印籠形固化タオル。
【請求項３】
タオル片（２）を所定形状に折り畳んだ折畳みタオル（３）が圧縮固化して印籠形に形成され，裏面側の中央部に前記タオル片の両端部が対向して形成された対向線（Ｌ）が存在するタオル本体（４）と、前記タオル本体を包装した包装フィルム（５）と、前記包装フィルムの表面側に設けた家紋等の紋様（６）と、からなり、前記折畳みタオルは，前記タオル片を，同一方向へ複数折り畳んで平面長方形状とされた後，その長手方向の両端部がそれぞれ内方に折り畳まれて，該両端部同士が突き合わされた後，その突き合わせ部分を中心としてさらに内方に折り畳まれたものである印籠形固化タオル。
【請求項４】
包装フィルム（５）が透明または半透明で、タオル片（２）が黒や茶などの暗色である請求項１，２または３に記載の印籠形固化タオル。
【請求項５】
家紋等の紋様（６）は、フィルム片（７）に印刷され、該フィルム片が包装フィルム（５）に貼着されて設けられたものである請求項１，２，３または４に記載の印籠形固化タオル。
【考案の詳細な説明】
【技術分野】
【０００１】
本考案は、印籠形に圧縮固化され、携帯に便利で、外観性に優れたタオルに関するものである。
【背景技術】
【０００２】
例えば、旅行などの際にはタオルを携帯することが多いが、通常のタオルは意外と嵩張るため、持ち運びに不便である。また、通常のタオルは、普通に折り畳んだ状態で市販されているため、その外観性に魅力が乏しく、商品価値も高いとは言えない。
【考案の開示】
【考案が解決しようとする課題】
【０００３】
従って、嵩張らずに持ち運びに便利であり、また、外観性にも優れた商品価値の高いタオルの出現が望まれていた。
【０００４】
本考案は、こうした問題に鑑み創案されたもので、携帯に便利で、外観性に魅力があり、商品価値の高いタオルを提供することを課題とする。
【課題を解決するための手段】
【０００５】
図１乃至図８を参照して説明する。請求項１に記載の印籠形固化タオル１は、タオル片２を所定形状に折り畳んだ折畳みタオル３が圧縮固化されて印籠形に形成され、裏面側に前記タオル片２の接触縁部が対向して形成された対向線Ｌが存在するタオル本体４と、前記タオル本体４を包装した包装フィルム５と、前記包装フィルム５の表面側または裏面側に設けた家紋等の紋様６と、からなるものである。
【０００６】
請求項２に記載の印籠形固化タオル１は、タオル片２を所定形状に折り畳んだ折畳みタオル３が圧縮固化されて印籠形に形成され，裏面側の中央部に前記タオル片の両端部が対向して形成された対向線Ｌが存在するタオル本体４と、前記タオル本体を包装した包装フィルム５と、前記包装フィルムの表面側または裏面側に設けた家紋等の紋様６と、からなるものである。
【０００７】
請求項３に記載の印籠形固化タオル１は、タオル片２を所定形状に折り畳んだ折畳みタオル３が圧縮固化して印籠形に形成され、裏面側の中央部に前記タオル片２の両端部が対向して形成された対向線Ｌが存在するタオル本体４と、前記タオル本体４を包装した包装フィルム５と、前記包装フィルム５の表面側に設けた家紋等の紋様６と、からなるものである。
【０００８】
また、前記折畳みタオル３は、前記タオル片２を、同一方向へ複数折り畳んで平面長方形状とされた後、その長手方向の両端部がそれぞれ内方に折り畳まれて、該両端部同士が突き合わされた後、その突き合わせ部分を中心としてさらに内方に折り畳まれたものである。
【０００９】
請求項４に記載の印籠形固化タオル１は、請求項１，２または３に記載の考案において、包装フィルム５が透明または半透明で、タオル片２が黒や茶などの暗色である。
【００１０】
請求項５に記載の印籠形固化タオル１は、請求項１，２，３または４に記載の考案において、家紋等の紋様６が、フィルム片７に印刷され、当該フィルム片７が包装フィルム５に貼着されて設けられたものである。
【考案の効果】
【００１１】
請求項１及び２に記載の考案に係る印籠形固化タオル１は、タオル本体４を、タオル片２を圧縮固化して印籠形に形成したので、小型であり、持ち運びに便利である。従って、旅行などに携帯しても嵩張らない。
【００１２】
また、タオル本体４の裏面側に、タオル片２の接触縁部が対向して形成される対向線Ｌを存在させているので表面側からは視覚されず、よって外観性に優れる。また、タオル本体４を包装フィルム５で包装しているので、当該タオル本体４を汚れなどから保護することができる。
【００１３】
さらに、包装フィルム５の表面側に家紋等の紋様６を設けたので、実際の印籠の携帯に、より近似させることができる。これにより、タオル本体４の形状と共に、その外観性を向上させ、商品価値を高めることができる。
【００１４】
請求項３に記載の印籠形固化タオル１は、請求項１または２に記載の考案と同様に、携帯に便利であり、また、その外観性に優れ、商品価値の高い商品とすることができる。
【００１５】
また、折畳みタオル３が、タオル片２を、同一方向へ複数折り畳んで平面長方形状とされた後、その長手方向の両端部がそれぞれ内方に折り畳まれて、当該両端部同士が突き合わされた後、その突き合わせ部分を中心としてさらに内方に折り畳まれたものであるので、当該折畳みタオル３を損傷させることなく、印籠形に正確に圧縮固化される。
【００１６】
すなわち、この折畳みタオル３は、上記したように折り畳むことによって、図５（ａ）に示すように、中央部が高く、その両端部に向かって徐々に低くなった略三角形状となるので、この状態で圧縮固化することによって、図５（ｂ）に示すように、その中央部が高く、両端部に向かって低くなる印籠の形状に無理なく形成することができる。
【００１７】
ちなみに、例えば、中央部とその両端部の高さが同じようになるように折り畳んだ状態で、両端部が中央部より低い印籠形に圧縮固化すると、当該タオルの両端部にきわめて大きな圧縮力が掛かるので、裂け目が発生するなどして損傷してしまう。本考案では、折畳みタオル３の両端部の高さを低くしているので、その全体にほぼ均等な圧縮力を作用させることができ、損傷が発生しない。
【００１８】
請求項４に記載の印籠形固化タオル１は、請求項１，２または３に記載の考案と同様の効果を発揮する。また、包装フィルム５が透明または半透明で、タオル片２が黒や茶などの暗色であるので、実際の印籠の形態に、より近付けることができる。すなわち、暗色のタオル片２を折り畳んで圧縮固化することによって、その全面を確実に暗色とすることができるため、黒や茶色の暗色で形成されていることの多い実際の印籠に近似させることができる。
【００１９】
請求項５に記載の印籠形固化タオル１は、請求項１，２，３または４の考案において、家紋等の紋様６が、フィルム片７に印刷され、そのフィルム片７が包装フィルム５に貼着されることによって設けられるので、当該紋様６を任意の箇所に容易に設けることができる。例えば、タオル本体４の表面側の中央部分の他にも、実際の印籠の多くがそうであるように、中央部分よりやや下位部分にも容易に設けることができる。
【考案を実施するための最良の形態】
【００２０】
本考案に係る印籠形固化タオル１の一実施形態を、図１乃至図６に示す。この印籠形圧縮固化タオル１は、タオル本体４、包装フィルム５、紋様（紋様）６で構成される。
【００２１】
タオル本体４は、タオル片２を後述するような所定形状に折り畳んだ折畳みタオル３が圧縮固化されて印籠形に形成され、裏面側の中央部にタオル片２の両端部が対向して形成された対向線Ｌが存在するものである。なお、本実施形態では、黒色のタオル片２を使用している。
【００２２】
この折畳みタオル３は、図６に示すように、長方形状のタオル片２を、同一方向へ３回折り畳んで（（ａ）〜（ｃ）参照）、平面長方形状とし（ｄ）、その後、その長手方向の両端部をそれぞれ内方に折り畳んで、当該両端部同士を突き合わせ（ｅ）、さらに、その突き合わせ部分を中心として内方に折り畳んだものである（ｆ）。
【００２３】
このように折り畳むことによって、中央部が高く、その両端部に向かって徐々に低くなるような略三角形状に形成することができる（図５（ａ）参照）。そして、この状態で圧縮固化すると、その中央部が高く、両端部に向かって低くなる印籠の形状に無理なく形成することができる（同（ｂ））。なお、この圧縮固化は、折畳みタオル３を、シリンダーＳの底部に設けた型材Ｒの上に置き、その上からピストンＰで圧縮して、印籠形に固化して行うものである。
【００２４】
包装フィルム５は、タオル本体４の全体を覆って包装するもので、本実施形態では透明のものを使用している。また、紋様（家紋）６は、透明のフィルム片７に印刷されたもので、そのフィルム片７を包装フィルム５に貼着して設けている。包装フィルム５およびフィルム片７を共に透明とすることによって、両者を一体的に視覚させることができ、よって外観性が損なわれない。なお、包装フィルム５を半透明とし、フィルム片７を半透明または不透明とすることもできる。
【００２５】
本実施形態に係る印籠形固化タオル１は、タオル本体４を、タオル片２を圧縮固化して印籠形に形成しているので、小型であり、従って、旅行などに携帯しても嵩張らず便利である。
【００２６】
また、タオル本体４の裏面側に、タオル片２の両端部が対向して形成される対向線Ｌを存在させているので、表面側から視覚されることがない。よって外観性を良好に保つことができる。また、タオル本体４を包装フィルム５で包装しているので、当該タオル本体４を汚れなどから確実に保護することができる。
【００２７】
さらに、包装フィルム５の表面側に紋様（家紋）６を設けたので、印籠の形態をより本物に近付けた状態で現出させることができる。これにより、その外観性を向上させ、商品価値を高めることができる。
【００２８】
また、包装フィルム５を透明とし、タオル片２を黒色としているので、その外観を黒色として視覚させることができ、黒色で形成されていることの多い実際の印籠の形態に近付けることができる。
【００２９】
さらに、紋様（家紋）６を、フィルム片７に印刷し、そのフィルム片７を包装フィルム５に貼着して形成しているので、包装フィルム５に直接設ける場合と比較して、任意の箇所に容易に設けることができると共に、その形成も容易である。
【００３０】
図８は、図５及び図６の別な実施形態を示すもので、長方形状のタオル片２を、同一方向へ３回折り畳んで（ａ〜ｃ参照）、平面長方形状とし（ｄ）、その後、その長手方向に２回折曲げ重ねたものである（ｅ，ｆ）。そして、図７に示す成形過程を経て圧縮固化タオルとなる。
【図面の簡単な説明】
【００３１】
【図１】本考案の実施形態に係る印籠形固化タオルを示す表面側を示す正面図である。
【図２】図１に示す固化タオルの裏面側を示す背面図である。
【図３】図１に示す固化タオルの底面（上面）図である。
【図４】本実施形態に係る固化タオルの成形過程を示す部分断面図である。
【図５】本実施形態に係る固化タオルの成形過程を示す斜視図である。
【図６】本実施形態に係る固化タオルの一成形過程を示す平面図である。
【図７】本実施形態に係る固化タオルの別な成形例を示す斜視図である。
【図８】本実施形態に係る固化タオルの別な成形例を示す平面図である。
【符号の説明】
【００３２】
１      印籠形固化タオル
２      タオル片
３      折畳みタオル
４      タオル本体
５      包装フィルム
６      紋様
７      フィルム片
Ｌ      対向線
Ｐ      ピストン
Ｒ      型材
Ｓ      シリンダー
【図１】
0003123350.tif 000003
【図２】
0003123350.tif 000004
【図３】
0003123350.tif 000005
【図４】
0003123350.tif 000006
【図５】
0003123350.tif 000007
【図６】
0003123350.tif 000008
【図７】
0003123350.tif 000009
【図８】
0003123350.tif 000010
【手続補正書】
【提出日】平成18年5月8日(2006.5.8)
【手続補正１】
【補正対象書類名】明細書
【補正対象項目名】全文
【補正方法】変更
【補正の内容】
【考案の詳細な説明】
【技術分野】
【０００１】
本考案は、印籠形に圧縮固化され、携帯に便利で、外観性に優れたタオルに関するものである。
【背景技術】
【０００２】
例えば、旅行などの際にはタオルを携帯することが多いが、通常のタオルは意外と嵩張るため、持ち運びに不便である。また、通常のタオルは、普通に折り畳んだ状態で市販されているため、その外観性に魅力が乏しく、商品価値も高いとは言えない。
【考案の開示】
【考案が解決しようとする課題】
【０００３】
従って、嵩張らずに持ち運びに便利であり、また、外観性にも優れた商品価値の高いタオルの出現が望まれていた。
【０００４】
本考案は、こうした問題に鑑み創案されたもので、携帯に便利で、外観性に魅力があり、商品価値の高いタオルを提供することを課題とする。
【課題を解決するための手段】
【０００５】
図１乃至図８を参照して説明する。請求項１に記載の印籠形固化タオル１は、タオル片２を所定形状に折り畳んだ折畳みタオル３が圧縮固化されて印籠形に形成され、裏面側に前記タオル片２の接触縁部が対向して形成された対向線Ｌが存在するタオル本体４と、前記タオル本体４を包装した包装フィルム５と、前記包装フィルム５の表面側または裏面側に設けた家紋等の紋様６と、からなるものである。
【０００６】
請求項２に記載の印籠形固化タオル１は、タオル片２を所定形状に折り畳んだ折畳みタオル３が圧縮固化されて印籠形に形成され，裏面側の中央部に前記タオル片の両端部が対向して形成された対向線Ｌが存在するタオル本体４と、前記タオル本体を包装した包装フィルム５と、前記包装フィルムの表面側または裏面側に設けた家紋等の紋様６と、からなるものである。
【０００７】
請求項３に記載の印籠形固化タオル１は、タオル片２を所定形状に折り畳んだ折畳みタオル３が圧縮固化して印籠形に形成され、裏面側の中央部に前記タオル片２の両端部が対向して形成された対向線Ｌが存在するタオル本体４と、前記タオル本体４を包装した包装フィルム５と、前記包装フィルム５の表面側に設けた家紋等の紋様６と、からなるものである。
【０００８】
また、前記折畳みタオル３は、前記タオル片２を、同一方向へ複数折り畳んで平面長方形状とされた後、その長手方向の両端部がそれぞれ内方に折り畳まれて、該両端部同士が突き合わされた後、その突き合わせ部分を中心としてさらに内方に折り畳まれたものである。
【０００９】
請求項４に記載の印籠形固化タオル１は、請求項１，２または３に記載の考案において、包装フィルム５が透明または半透明で、タオル片２が黒や茶などの暗色である。
【００１０】
請求項５に記載の印籠形固化タオル１は、請求項１，２，３または４に記載の考案において、家紋等の紋様６が、フィルム片７に印刷され、当該フィルム片７が包装フィルム５に貼着されて設けられたものである。
【考案の効果】
【００１１】
請求項１及び２に記載の考案に係る印籠形固化タオル１は、タオル本体４を、タオル片２を圧縮固化して印籠形に形成したので、小型であり、持ち運びに便利である。従って、旅行などに携帯しても嵩張らない。
【００１２】
また、タオル本体４の裏面側に、タオル片２の接触縁部が対向して形成される対向線Ｌを存在させているので表面側からは視覚されず、よって外観性に優れる。また、タオル本体４を包装フィルム５で包装しているので、当該タオル本体４を汚れなどから保護することができる。
【００１３】
さらに、包装フィルム５の表面側に家紋等の紋様６を設けたので、実際の印籠の携帯に、より近似させることができる。これにより、タオル本体４の形状と共に、その外観性を向上させ、商品価値を高めることができる。
【００１４】
請求項３に記載の印籠形固化タオル１は、請求項１または２に記載の考案と同様に、携帯に便利であり、また、その外観性に優れ、商品価値の高い商品とすることができる。
【００１５】
また、折畳みタオル３が、タオル片２を、同一方向へ複数折り畳んで平面長方形状とされた後、その長手方向の両端部がそれぞれ内方に折り畳まれて、当該両端部同士が突き合わされた後、その突き合わせ部分を中心としてさらに内方に折り畳まれたものであるので、当該折畳みタオル３を損傷させることなく、印籠形に正確に圧縮固化される。
【００１６】
すなわち、この折畳みタオル３は、上記したように折り畳むことによって、図５（ａ）に示すように、中央部が高く、その両端部に向かって徐々に低くなった略三角形状となるので、この状態で圧縮固化することによって、図５（ｂ）に示すように、その中央部が高く、両端部に向かって低くなる印籠の形状に無理なく形成することができる。
【００１７】
ちなみに、例えば、中央部とその両端部の高さが同じようになるように折り畳んだ状態で、両端部が中央部より低い印籠形に圧縮固化すると、当該タオルの両端部にきわめて大きな圧縮力が掛かるので、裂け目が発生するなどして損傷してしまう。本考案では、折畳みタオル３の両端部の高さを低くしているので、その全体にほぼ均等な圧縮力を作用させることができ、損傷が発生しない。
【００１８】
請求項４に記載の印籠形固化タオル１は、請求項１，２または３に記載の考案と同様の効果を発揮する。また、包装フィルム５が透明または半透明で、タオル片２が黒や茶などの暗色であるので、実際の印籠の形態に、より近付けることができる。すなわち、暗色のタオル片２を折り畳んで圧縮固化することによって、その全面を確実に暗色とすることができるため、黒や茶色の暗色で形成されていることの多い実際の印籠に近似させることができる。
【００１９】
請求項５に記載の印籠形固化タオル１は、請求項１，２，３または４の考案において、家紋等の紋様６が、フィルム片７に印刷され、そのフィルム片７が包装フィルム５に貼着されることによって設けられるので、当該紋様６を任意の箇所に容易に設けることができる。例えば、タオル本体４の表面側の中央部分の他にも、実際の印籠の多くがそうであるように、中央部分よりやや下位部分にも容易に設けることができる。
【考案を実施するための最良の形態】
【００２０】
本考案に係る印籠形固化タオル１の一実施形態を、図１乃至図６に示す。この印籠形圧縮固化タオル１は、タオル本体４、包装フィルム５、紋様（紋様）６で構成される。
【００２１】
タオル本体４は、タオル片２を後述するような所定形状に折り畳んだ折畳みタオル３が圧縮固化されて印籠形に形成され、裏面側の中央部にタオル片２の両端部が対向して形成された対向線Ｌが存在するものである。なお、本実施形態では、黒色のタオル片２を使用している。
【００２２】
この折畳みタオル３は、図６に示すように、長方形状のタオル片２を、同一方向へ３回折り畳んで（ａ〜ｃ参照）、平面長方形状とし（ｄ）、その後、その長手方向の両端部をそれぞれ内方に折り畳んで、当該両端部同士を突き合わせ（ｅ）、さらに、その突き合わせ部分を中心として内方に折り畳んだものである（ｆ）。
【００２３】
このように折り畳むことによって、中央部が高く、その両端部に向かって徐々に低くなるような略三角形状に形成することができる（図５ａ参照）。そして、この状態で圧縮固化すると、その中央部が高く、両端部に向かって低くなる印籠の形状に無理なく形成することができる（同ｂ）。なお、この圧縮固化は、折畳みタオル３を、シリンダーＳの底部に設けた型材Ｒの上に置き、その上からピストンＰで圧縮して、印籠形に固化して行うものである。
【００２４】
包装フィルム５は、タオル本体４の全体を覆って包装するもので、本実施形態では透明のものを使用している。また、紋様（家紋）６は、透明のフィルム片７に印刷されたもので、そのフィルム片７を包装フィルム５に貼着して設けている。包装フィルム５およびフィルム片７を共に透明とすることによって、両者を一体的に視覚させることができ、よって外観性が損なわれない。なお、包装フィルム５を半透明とし、フィルム片７を半透明または不透明とすることもできる。
【００２５】
本実施形態に係る印籠形固化タオル１は、タオル本体４を、タオル片２を圧縮固化して印籠形に形成しているので、小型であり、従って、旅行などに携帯しても嵩張らず便利である。
【００２６】
また、タオル本体４の裏面側に、タオル片２の両端部が対向して形成される対向線Ｌを存在させているので、表面側から視覚されることがない。よって外観性を良好に保つことができる。また、タオル本体４を包装フィルム５で包装しているので、当該タオル本体４を汚れなどから確実に保護することができる。
【００２７】
さらに、包装フィルム５の表面側に紋様（家紋）６を設けたので、印籠の形態をより本物に近付けた状態で現出させることができる。これにより、その外観性を向上させ、商品価値を高めることができる。
【００２８】
また、包装フィルム５を透明とし、タオル片２を黒色としているので、その外観を黒色として視覚させることができ、黒色で形成されていることの多い実際の印籠の形態に近付けることができる。
【００２９】
さらに、紋様（家紋）６を、フィルム片７に印刷し、そのフィルム片７を包装フィルム５に貼着して形成しているので、包装フィルム５に直接設ける場合と比較して、任意の箇所に容易に設けることができると共に、その形成も容易である。
【００３０】
図８は、図５及び図６の別な実施形態を示すもので、長方形状のタオル片２を、同一方向へ３回折り畳んで（ａ〜ｃ参照）、平面長方形状とし（ｄ）、その後、その長手方向に２回折曲げ重ねたものである（ｅ，ｆ）。そして、図７に示す成形過程を経て圧縮固化タオルとなる。
【図面の簡単な説明】
【００３１】
【図１】本考案の実施形態に係る印籠形固化タオルの表面側を示す正面図である。
【図２】図１に示す固化タオルの裏面側を示す背面図である。
【図３】図１に示す固化タオルの底面（上面）図である。
【図４】本実施形態に係る固化タオルの一成形過程を示す部分断面図である。
【図５】本実施形態に係る固化タオルの一成形過程を示す斜視図である。
【図６】本実施形態に係る固化タオルの一成形過程を示す平面図である。
【図７】本実施形態に係る固化タオルの別な成形例を示す斜視図である。
【図８】本実施形態に係る固化タオルの別な成形過程を示す平面図である。
【符号の説明】
【００３２】
１      印籠形固化タオル
２      タオル片
３      折畳みタオル
４      タオル本体
５      包装フィルム
６      紋様
７      フィルム片
Ｌ      対向線
Ｐ      ピストン
Ｒ      型材
Ｓ      シリンダー